(57)【要約】      （修正有）【課題】剛毛が落下せず、洗浄して再利用でき、化粧品、日用品、医薬品に適活用されるシリコーンブラシの綿ヘッドを提供する。【解決手段】シリコーンブラシの綿ヘッドは、スケルトン１と、スケルトンの外周に被覆されたシリコン剛毛２とを含み、シリコーン剛毛は、放射状に分布し、シリコーン被覆層の上に設けられ、両者は、一度に射出成形されている。シリコーン剛毛は、落ちにくく、シリコーンブラシの綿ヘッドの寿命と安全性を延ばす。シリコーンの表面は、強い接着力を有し、ペーストの接着力を向上させ、繰り返し洗浄することができる。【選択図】図１
0003227612.tif 000002
【実用新案登録請求の範囲】
【請求項１】
シリコーンブラシの綿ヘッドであって、
シリコーンブラシの綿ヘッドは、硬質ゴムのスケルトンと、前記硬質ゴムのスケルトンの外周に被覆されたシリコン剛毛とを含み、前記シリコーン剛毛は、放射状に分布していることを特徴とするシリコーンブラシの綿ヘッド。
【請求項２】
シリコーン剛毛は、シリコーン被覆層上に配置されて、前記シリコーン剛毛と前記シリコーン被覆層は、一体的に形成されており、前記シリコーン剛毛は、前記シリコーン被覆層を通って、前記硬質ゴムスケルトンの外周に被覆されることを特徴とする請求項１に記載のシリコーンブラシの綿ヘッド。
【請求項３】
前記シリコーン被覆層の表面の一部又は全部には、前記シリコーン被覆層と、一体的に形成した複数の剛毛が設けられていることを特徴とする請求項２に記載のシリコーンブラシの綿ヘッド。
【請求項４】
前記硬質ゴムのスケルトンは、取付コネクタを設けて、前記取付コネクタは、中部の凹型リングを設けることを特徴とする請求項３に記載のシリコーンブラシの綿ヘッド。
【請求項５】
前記硬質ゴムのスケルトンの端部には、傾斜面を有することを特徴とする請求項４に記載のシリコーンブラシの綿ヘッド。
【請求項６】
シリコーンブラシの綿ヘッドの形状は、円形、平らで楕円形または正方形を呈することを特徴とする請求項４または５に記載のシリコーンブラシの綿ヘッド。
【請求項７】
密度が１ｃｍ2の範囲でシリコーン剛毛の数量は、およそ８００〜２０００本となることを特徴とする請求項６に記載のシリコーンブラシの綿ヘッド。
【請求項８】
シリコーン剛毛の長さは、１.０〜１.５ｍｍ、直径は、０.１０〜０.１５ｍｍとなることを特徴とする請求項７に記載のシリコーンブラシの綿ヘッド。
【考案の詳細な説明】
【技術分野】
【０００１】
本考案は、化粧用ブラシの綿ヘッドに係り、特に、シリカゲルブラシの綿ヘッドに関する。
【背景技術】
【０００２】
フロッキングの綿ヘッドは、様々な種類の化粧品に広く使用されてきて、綿ヘッドは、製品全体の中で最も重要な部分でなって、それは、直接に人体と接触して、その実用性、快適さ、安全性は、リップグロス全体の成功に関連する。
【０００３】
現在、従来の綿ヘッドは、ほとんどＴＰＵ ／ ＴＰＥＥなどの２つの材料のプラスチック製の綿ヘッドである。加工を行って、その表面に繊維綿毛を一層で植え込んで、そして、ペーストを接着させ、使用しており、このタイプの従来の綿ヘッドには、多くの欠点がある：
１．材料が硬くなって、快適さが足りない；
２．表面の植毛は非常に落ちやすく、製品の安全性に深刻な影響を与えて、直接毛羽を唇に塗り、体内に吸い込むだけでなく、植毛する時には、化学接着剤が必要であるため、安全ではなく環境に優しくない。
３．そのような綿ヘッドは、洗濯をすべきでない、また再利用することもできない等多くの欠点がある。
【考案の概要】
【考案が解決しようとする課題】
【０００４】
本考案の実施形態によって解決されるべき技術的課題は、シリコーンブラシ（ＴＰＥ）の綿ヘッドを提供することである。化粧用の綿ヘッドを快適にさせて、剛毛は落下せず、洗浄して再利用することができる。
【０００５】
上記の技術的問題を解決するために、本考案は、シリコーンブラシの綿ヘッドを提供して、シリコーンブラシの綿ヘッドは、硬質ゴムのスケルトンと、前記硬質ゴムのスケルトンの外周に被覆されたシリコン剛毛とを含み、前記シリコーン剛毛は、放射状に分布している。
【０００６】
さらに、シリコーン剛毛は、シリコーン被覆層上に配置されて、前記シリコーン剛毛と前記シリコーン被覆層は、一体的に形成されており、前記シリコーン剛毛は、前記シリコーン被覆層を通って、前記硬質ゴムスケルトンの外周に被覆される。
【０００７】
また、前記シリコーン被覆層の表面の一部又は全部には、前記シリコーン被覆層と、一体的に形成した複数の剛毛が設けられている。
【０００８】
また、前記硬質ゴムのスケルトンの端部には、傾斜面を有する。
【０００９】
また、シリコーンブラシの綿ヘッドの形状は、円形、平らで楕円形または正方形を呈する。
【００１０】
また、前記硬質ゴムのスケルトンは、取付コネクタを設けて、前記取付コネクタは、中部の凹型リングを設ける。
【００１１】
また、周辺剛毛は、密度が１ｃｍ2の範囲でブラシできる数は、およそ８００〜２０００本となる。
【００１２】
また、剛毛の長さは、１.０〜１.５ｍｍ、直径は、０.１０〜０.１５ｍｍとなって、精細で高い柔らかい。
【００１３】
本考案の実施形態は、以下の有益な効果を有する。本考案は、スケルトンがシリコーンの剛毛を設けることで、製品の組み合わせをしっかりとして落ちないようにして、そして製品の寿命を延ばし、製品の安全性を確保することができる。シリコーン表面は、強い接着性を有し、ペーストの接着性を改善し、そして繰り返し洗浄することができて、従来技術に関わる表面植毛の製品を置き換えることは、従来技術における従来の慣習を転覆する。
【図面の簡単な説明】
【００１４】
【図１】本考案の全体結構を示す図である。
【図２】本考案の平面結構を示す図である。
【図３】本考案の異なるモデリング結構を示す図である。
【図４】同上。
【図５】同上。
【図６】同上。
【図７】同上。
【考案を実施するための形態】
【００１５】
本考案の目的、技術方案および利点をより明確にするために、添付の図面を参照しながら本考案を以下にさらに詳細に説明する。
図１、図２に示すような結構において、本考案に関わるシリコーンブラシの綿ヘッドは、スケルトン１と、シリコン剛毛２とを含み、前記シリコン剛毛２は、前記スケルトン１の外周に被覆されて、しかも放射状に分布している。
【００１６】
本実施形態で、前記シリコン剛毛２は、射出成形により前記スケルトン１の外周に被覆されて、前記シリコン剛毛２は、もちろん、前記スケルトン１の外周に密着させることも可能である。本考案は、本実施形態に限定されない。
【００１７】
好ましくは、シリコーン剛毛は、シリコーン被覆層上に配置されて、前記シリコーン剛毛と前記シリコーン被覆層は、一体的に形成されており、前記シリコーン剛毛は、前記シリコーン被覆層を通って、前記硬質ゴムスケルトンの外周に被覆される。
【００１８】
また、前記シリコーン被覆層の表面の一部又は全部には、前記シリコーン被覆層と、一体的に形成した複数の剛毛が設けられている。本考案は、本実施形態に限定されない。
【００１９】
使用を容易にするために、前記スケルトン１の端部には、傾斜面１１を有するため、本考案の使用をより霊活性にする。
【００２０】
前記硬質ゴムのスケルトン１は、取付コネクタ１２を設けて、前記取付コネクタ１２は、中部の凹型リング１３を設けて、それによって、本考案を取り外して、ブラシ棒の下端に取付けることをさせる。
【００２１】
シリコーンブラシの綿ヘッドの形状は、使用の必要性に従って円形、平らおよび楕円形または正方形で設置されることができる。
【００２２】
密度が１ｃｍ2の範囲でシリコーン剛毛の数量は、およそ８００〜２０００本となって、好ましくは１２００本である。
【００２３】
シリコーン剛毛の長さは、１.０〜１.５ｍｍ、直径は、０.１０〜０.１５ｍｍとなって、好ましくは、シリコーン剛毛の長さは、１．２ｍｍとなって、直径は、０．１２ｍｍとなる。
【００２４】
本考案には、次のような利点がある；
１．剛毛材料は、シリコンであり、そして軟質および硬質は１つの射出成形に組み合わされて、ハンドル部は硬質材料からなり、ブラシヘッド部は軟質ゴム材料からなる。ハンドルの硬さは、高く、製品の設置は、堅さで組み立てられて、そしてそれは容易に落下することはなないため、製品の耐用年数を延ばすことができる。ブラシヘッド部は、新しいシリコン素材を使用して、その利点は、シリコンが環境に優しく、柔らかく、そして良好な接着性を有することであって、シリコーンは、通常食品グレードの原料であって、綿ヘッドの製造に使用され、製品の安全性を強調し、綿ヘッドがさまざまなペーストで化学反応を起こすことを避ける。シリコーン素材が、柔らかいため、ブラシのヘッドは、唇に直接接触している時、柔らかい素材が化粧の快適さを大いに高めます。シリコンの表面は、強力な接着力を持ち、これがペーストの接着力を高め、リップグロスの利便性を向上させる。
２．ブラシヘッドの表面に直接細かい毛羽立たせる。この構造は、シリコンの高粘着性に合って、有効的に、リップグロスペーストに付着して、それは完全に元の表面植毛の製品を置き換えることができて、市場に慣行の作り方を転覆して、落ちた毛羽を食ってまたは唇の表面で落ちるのを防ぎ、製品の安全性と実用性を大幅に向上させる。
３．シリコーンの綿ヘッドを使用すると、その綿ヘッドは、繰り返し洗うことができて、脱毛なし、変形なし、安定した素材、綿ヘッドをリサイクルすることができる。
４．本考案は、強い可塑性を有し、異なる要求に従って、図３、図４、図５、図６、と図７に示すような様々なタイプのブラシヘッドを設計することができる。
【００２５】
以上説明した実施形態は、本考案の技術構想と特徴を説明するためのものであり、本考案の目的は、当業者が本考案の内容を理解し実施することを可能にすることであり、これは、本考案の保護範囲を限定するものではない。本考案の技術解決方法の精神および範囲から逸脱しない限り、全ては、本考案の請求項の範囲に包含されるべきである。
【符号の説明】
【００２６】
１  スケルトン
２  シリコン剛毛
１１  傾斜面
１２  取付コネクタ
１３  中部の凹型リング
【図１】
0003227612.tif 000003
【図２】
0003227612.tif 000004
【図３】
0003227612.tif 000005
【図４】
0003227612.tif 000006
【図５】
0003227612.tif 000007
【図６】
0003227612.tif 000008
【図７】
0003227612.tif 000009
【手続補正書】
【提出日】令和1年5月24日(2019.5.24)
【手続補正１】
【補正対象書類名】実用新案登録請求の範囲
【補正対象項目名】全文
【補正方法】変更
【補正の内容】
【実用新案登録請求の範囲】
【請求項１】
シリコーンブラシの綿ヘッドであって、
シリコーンブラシの綿ヘッドは、硬質ゴムのスケルトンと、前記硬質ゴムのスケルトンの外周に被覆されたシリコン剛毛とを含み、前記シリコーン剛毛は、放射状に分布しており；
前記シリコーン剛毛は、前記シリコーン被覆層上に配置されて、前記シリコーン剛毛と前記シリコーン被覆層は、一体的に形成されており、前記シリコーン剛毛は、前記シリコーン被覆層を通って、前記硬質ゴムスケルトンの外周に被覆されて；
前記硬質ゴムのスケルトンは、取付コネクタを設けて、前記取付コネクタは、中部の凹型リング１３を設けて；
密度が１ｃｍ2の範囲でシリコーン剛毛の数量は、およそ８００〜２０００本となることを特徴とするシリコーンブラシの綿ヘッド。
【請求項２】
前記シリコーン被覆層の表面の一部又は全部には、前記シリコーン被覆層と、一体的に形成した複数の剛毛が設けられていることを特徴とする請求項１に記載のシリコーンブラシの綿ヘッド。
【請求項３】
前記硬質ゴムのスケルトンの端部には、傾斜面を有することを特徴とする請求項１または２に記載のシリコーンブラシの綿ヘッド。
【請求項４】
シリコーンブラシの綿ヘッドの形状は、円形、平らで楕円形または正方形を呈することを特徴とする請求項３に記載のシリコーンブラシの綿ヘッド。
【請求項５】
シリコーン剛毛の長さは、１.０〜１.５ｍｍ、直径は、０.１０〜０.１５ｍｍとなることを特徴とする請求項１に記載のシリコーンブラシの綿ヘッド。
【手続補正書】
【提出日】令和2年6月4日(2020.6.4)
【手続補正１】
【補正対象書類名】実用新案登録請求の範囲
【補正対象項目名】全文
【補正方法】変更
【補正の内容】
【実用新案登録請求の範囲】
【請求項１】
シリコーンブラシの綿ヘッドであって、
シリコーンブラシの綿ヘッドは、硬質ゴムのスケルトンと、前記硬質ゴムのスケルトンの外周に被覆されたシリコーン剛毛とを含み、前記シリコーン剛毛は、放射状に分布しており；
前記シリコーン剛毛は、前記シリコーン被覆層上に配置されて、前記シリコーン剛毛と前記シリコーン被覆層は、一体的に形成されており、前記シリコーン剛毛は、前記シリコーン被覆層を通って、前記硬質ゴムスケルトンの外周に被覆されて；
前記硬質ゴムのスケルトンは、取付コネクタを設けて、前記取付コネクタは、中部の凹型リング１３を設けて；
密度が１ｃｍ2の範囲でシリコーン剛毛の数量は、およそ８００〜２０００本となることを特徴とするシリコーンブラシの綿ヘッド。
【請求項２】
前記シリコーン被覆層の表面の一部又は全部には、前記シリコーン被覆層と、一体的に形成した複数の剛毛が設けられていることを特徴とする請求項１に記載のシリコーンブラシの綿ヘッド。
【請求項３】
前記硬質ゴムのスケルトンの端部には、傾斜面を有することを特徴とする請求項１または２に記載のシリコーンブラシの綿ヘッド。
【請求項４】
シリコーンブラシの綿ヘッドの形状は、円形、平らで楕円形または正方形を呈することを特徴とする請求項３に記載のシリコーンブラシの綿ヘッド。
【請求項５】
シリコーン剛毛の長さは、１.０〜１.５ｍｍ、直径は、０.１０〜０.１５ｍｍとなることを特徴とする請求項１に記載のシリコーンブラシの綿ヘッド。